(57)【要約】【課題】  耳が遠い老人や聴覚障害者が会話をする際に使用するサポートシステムの提供。【解決手段】  話し手側にはマイク装置５を設け、聴覚障害者側にはスピーカ装置４を配置した構造とし、該スピーカ装置４はベース部１０とスピーカ部１１で構成され、スピーカ部１１はベース部１０に軸支されてその向きを上下方向に変えることが出来るように取付け、話し手３の音声はマイク装置５のマイク９に入力されて、聴覚障害者側のスピーカ装置４のスピーカ部１１から出力される。【選択図】    図１
2019068163.tif 000002
【特許請求の範囲】
【請求項１】
耳が遠い老人や聴覚障害者が会話をする際に使用するサポートシステムにおいて、話し手側にはマイク装置を設け、聴覚障害者側にはスピーカ装置を配置した構造とし、該スピーカ装置はベース部とスピーカ部で構成され、スピーカ部はベース部に軸支されてその向きを上下方向に変えることが出来るように取付け、話し手の音声はマイク装置のマイクに入力されて、聴覚障害者側のスピーカ装置のスピーカ部から出力されることを特徴とするコミュニケーションのサポートシステム。
【請求項２】
上記スピーカ装置を構成するベース部又はスピーカ部の何れか一方には軸を中心として揺動すると共に一定方向に回転するようにバネ力を付勢したレバーを取付け、他方には複数の係合溝を形成し、上記レバー先端が係合溝に係合することでスピーカ部の向きが固定されるように構成し、また、レバー先端を係合溝から解除する為の解除ボタンを設けた請求項１記載のコミュニケーションのサポートシステム。
【請求項３】
ベース部の上に取付けられて上下方向に向きを変えることが出来るようにスピーカ部を備えたスピーカ装置において、上記ベース部又は上記スピーカ部の何れか一方には軸を中心として揺動すると共に一定方向に回転するようにバネ力を付勢したレバーを取付け、他方には複数の係合溝を形成し、上記レバー先端が係合溝に係合することでスピーカ部の向きが固定されるように構成し、また、レバー先端を係合溝から解除する為の解除ボタンを設けたことを特徴とするスピーカ装置。
【発明の詳細な説明】
【技術分野】
【０００１】
本発明は耳の遠い老人や聴覚障害者がコミュニケーションをし易くするサポートシステム及びスピーカ装置に関するものである。
【背景技術】
【０００２】
歳をとると耳が遠くなって人の話が聞き取りにくくなる。また元々、聴覚に障害があって人の話が聞き取りにくいといった障害者も多い。その為に補聴器を耳に取付けていて、音声を増幅することで聞き取ることが出来るように構成している。
しかし、該補聴器はコスト的に高価であることから使用しない人も多く、また、補聴器を取付けても音質によっては正確に聞き取れないこともある。
家族や知人であれば、耳が遠いことを認識している為に、聞き取れるように耳元で大きな声で話をするが、一般の人は耳が遠いといったことは分らないので、普通の話声では聞き取れないことがある。
【０００３】
難聴者であれば耳が遠くて不便を感じることは多く、例えば、銀行や郵便局へ出向いて受付で話をする際に、耳が遠い人は行員及び局員の話が正確に聞き取れない。また、説明会や講習会などに出席した場合、講師の話が十分に理解できないこともある。
勿論、講習会などではスピーカを使用することが一般的であるが、スピーカのボリュームを大きくすると、耳が遠くない人にとっては耳障りに感じ、従来から使用されている補聴器にしても、聞き取りにくい音域があり、十分とはいえない。
【０００４】
障害者差別解消法が平成２８年４月１日から施行され、障害のある人もない人も、互いに、その人らしさを認め合いながら共に生きる社会をつくることを目指している。
そこで、国、都道府県、市町村などの役所や会社や店などの事業者が、障害のある人に対して、正当な理由なく、障害を理由として差別することを禁止している。
その為に、耳に障害のある人に対しても差別することなく、互いに生きる社会にすることが障害者差別解消法に適合する。
【０００５】
ところで、耳が遠い人は一般に補聴器を使用しているが、この補聴器に関しての技術は従来から色々存在している。
特開２０００−１９４３８０号に係る「防音細長管をもつ老人難聴用補聴器」は、雑音を全て遮断し、相手の声だけをストレートに聞くための長いゴム管や合成樹脂の管を持つ老人難聴用補聴器に関するものである。また、音声を直進させて、その力を衰えることなく遠くに送るための細管を有している。
即ち、送声部を口にあて、声を細管の内径を通して送り、難聴者は把手を握り、耳当て部を耳孔に入れて音声を聞くようにしたものである。
【０００６】
特開２０１１−２５３１７０号に係る「補聴耳カバー」は、老人性難聴に適応されている従来の補聴器は電気的に音を拡大するもので、音は大きくなるが、不要な高い音まで大きくなり、難聴の度合い、周囲の環境に合わせる調整が難しく、また高価である。
そこで、耳を覆うカバー状を形成し、前方に音の入る開放部を設け、内側に耳介に掛けて保持する為のＣ字形状の係合部を設け、入った音が共振する共振室を構成した耳カバーとしている。
したがって、細かい調整の必要もなく、耳に装着も簡便で、開放部から入った音はカバー内部で共振して大きな音となり、高い領域の音も聞くことが出来る。
【特許文献１】特開２０００−１９４３８０号に係る「防音細長管をもつ老人難聴用補聴器」
【特許文献２】特開２０１１−２５３１７０号に係る「補聴耳カバー」
【発明の開示】
【発明が解決しようとする課題】
【０００７】
歳と共に耳が遠くなって、人の話が聞き取りに難く成ることは常であり、また、生まれながら難聴の人も多い。
本発明が解決しようとする課題はこの問題点であり、耳が遠い人であっても他人の話を聞き取り易くなるコミュニケーションのサポートシステムを提供する。
【課題を解決するための手段】
【０００８】
本発明のコミュニケーションのサポートシステムは、補聴器を耳に取付けて難聴を回避するのではなく、マイクとスピーカを組み合わせて構成している。すなわち、従来の補聴器のように常に身に付けているものではなく、所定の場所に設置され、耳の遠い人が訪れた場合に使うことが出来るようにしている。
マイクには話しをする人の音声が入力され、このマイクに接続されているスピーカから適当なボリュームの音声が出力され、耳の遠い人でも聞き取り易くなる。
ここで、マイクとスピーカとは有線にて接続する場合、又は無線として電波にて接続する場合もあり、用途に応じて適当に選択することが可能である。
【０００９】
本発明のコミュニケーションのサポートシステムを使用する用途に関しては限定せず自由である。例えば、銀行や郵便局などの受付に耳が遠い人が訪れた場合、講演会や講習会などに耳が遠い人が参加している場合など、色々な場合に使うことが可能である。
このサポートシステムを構成しているスピーカ装置はスピーカ部とベース部から成り、該スピーカ部はベース部に軸支されてその向きを上下方向に調整することが出来るように成っていて、スピーカ部は適当な向きで固定される。そして、スピーカ部を下ろす際にはロックを解除しなくてはならない構造としている。
【発明の効果】
【００１０】
本発明のコミュニケーションのサポートシステムはスピーカ装置とマイク装置の組み合わせで構成され、耳の遠い人であっても会話することが出来る。例えば、銀行の窓口に該サポートシステムを配置するならば、耳の遠い人が訪れた場合であっても、話の内容を理解することが出来る。
そして、スピーカ部の向きを変えることが出来る為に、該スピーカ部を上向きにセットすることで耳の方向へ向けることが出来る。
【００１１】
一方、上向き状態にすることでスピーカ部とベース部との間には空間が形成されるが、スピーカ部の上面から力が作用しても該空間が閉じて指が挟まることがないようにロックされている。
ところで、本発明のスピーカ装置はコミュニュケーションサポートシステムとして用いる場合に限ることなく、健常者が使う一般的なスピーカ装置としての利用に供すことが出来る。
【図面の簡単な説明】
【００１２】
【図１】本発明のコミュニケーションのサポートシステムの概略図。
【図２】スピーカ装置の外観図。
【図３】スピーカ部が下りている状態のスピーカ装置。
【図４】スピーカ部を持ち上げた状態のスピーカ装置。
【図５】スピーカ部が上向き状態で固定されたスピーカ装置。
【図６】スピーカ部の背面に設けている解除ボタンを押圧して上向き状態のスピーカ部を降ろす操作を示している。
【図７】スピーカ部を上下揺動させる操作。
【図８】スピーカ装置の具体的な内部構造を示している。
【発明を実施するための形態】
【００１３】
図１は本発明のコミュニケーションのサポートシステムの概要を示している。同図の１はサポートシステム、２は聴覚障害者、３は話し手（例えば、銀行の受付け員）を表し、聴覚障害者２と話し手３は上記サポートシステム１を介して会話することが出来る。
上記サポートシステム１はスピーカ装置４とマイク装置５の組み合わせで構成され、スピーカ装置４とマイク装置５とはケーブル６にて接続されている。
【００１４】
マイク装置５は台座７から起立したスタンド８の上端にマイク９を有し、話し手３の音声はマイク９に入力し、ケーブル６を流れてスピーカ装置４に入る。スピーカ装置４はベース部１０とスピーカ部１１で構成され、話し手３の音声はスピーカ部１１から出力されて聴覚障害者２の耳に入る。この場合、スピーカ部１１から出力される音声は、聴覚障害者２にとって最も聞き取り易い音域に調整される。
【００１５】
すなわち、小さい音は聴こえ難く、大きな声はうるさく感じるが、話し手２の声の大きさは自動的に調整されて聞き取り易い音声となってスピーカ部１１から出力される。
また、マイク９に入力される話し手３の音声の周波数にしても聞き取り易いように複数の周波数モードが準備されている。
スピーカ部１１から出力される音声の周波数は周波数調整手段によって自動的に調整するように構成してもよく、又は手動調整するようにすることも可能である。
【００１６】
図２はスピーカ装置４の外観を表している実施例である。該スピーカ装置４はベース部１０とスピーカ部１１からなり、スピーカ部１１はベース部１０の上に載置され、しかもスピーカ部１１はその向きを上下方向に変えることが出来る。すなわち、ベース部１０の後方側に設けている軸に取付けられ、スピーカ部１１は上下方向に揺動することが出来る構造としている。
【００１７】
図３はスピーカ部１１の取付け構造を表している具体例である。同図の１２はく形レバー、１３は軸、１４は解除ボタンをそれぞれ表わし、ベース部１０の後方上面には段差が形成され、第１係合溝１５と第２係合溝１６を有している。
図３は上記スピーカ部１１が下向き状態にあって、ベース部１０との間には隙間がない場合を示していて、レバー１２の第１レバー部１７の先端は第１係合溝１５に係合している。
【００１８】
「く形」をした該レバー１２は軸１８を中心として回動することが出来、しかも時計方向に回動するバネ力が付勢されている。そこで、上記スピーカ部１１を持ち上げるならば、該スピーカ部１１は軸１３を中心として上方へ揺動し、レバー１２は軸１８を中心として時計方向に揺動する。その為に、第１レバー部１７の先端は第１係合溝１５から離脱する。
【００１９】
図４はスピーカ部１１が上方へ揺動した場合を示し、レバー１２はバネ力によって時計方向に回転して第１レバー部１７は第１係合溝１５から離脱する。そして、持ち上げられたスピーカ部１１が少し戻されるならば、第１レバー部１７は第２係合溝１６に係合し、図３に示すような元の状態には戻らない。すなわち、第１レバー部１７が第２係合溝１６に係合することでストッパーとして機能し、図５の状態で固定される。
【００２０】
したがって、スピーカ部１１の上方から外力が働いても該スピーカ部１１が下がることはない。スピーカ部１１が上向き状態になることでベース部１０との間には空間２０が形成されるが、この空間２０に指が入った状態でスピーカ部１１が下がって挟まるといった事故は発生しない。
【００２１】
図６は第１レバー部１７を第２係合溝１６から外してスピーカ部１１を下して元の状態に戻す場合の操作を示している。スピーカ部１１の後方端（背面）には解除ボタン１４を設けていて、この解除ボタン１４を押圧するならば、レバー１２の第２レバー部１９に先端が当たり、該レバー１２は反時計方向に回転することが出来る。そして、レバー１２の第１レバー部１７の先端は第２係合溝１６から外れ、スピーカ部１１は降下して図３の状態に戻される。
【００２２】
図７はスピーカ部１１が上下方向に揺動する一連の動作を表している。（ａ）は前記図３に示した場合、（ｂ）は前記図４に示した場合、（ｃ）は前記図５に示した場合、（ｄ）は前記図６に示した場合をそれぞれ表している。
このように、本発明のスピーカ装置４はそのスピーカ部１１が上下方向に揺動して向きを変え、聴覚障害者にとって聞こえ易い方向に調整することが出来る構造としている。
上記実施例では、スピーカ部１１に設けた軸１３にレバー１２を取付け、ベース部１０に係合溝１５，１６を形成しているが、ベース部側にレバー１２を取付けてスピーカ部１１に係合溝を形成することも可能である。
【００２３】
図８はスピーカ装置４の具体的な内部構造を示している。スピーカ部１１のフレーム２１にはスピーカ２２がネジ止めにて固定され、該スピーカ２２から話し手の音声が聞き取り易いボリューム及び周波数に変換されて出力される。レバー１２が時計方向に回転するように付勢されるバネ力としてコイルバネ２３が取付けられている。
また、押圧することで前進した解除ボタン１４が元の位置に戻る為のコイルバネ２４が取付けられている。
図８はスピーカ部１１が持ち上げられて上方を向いて傾いた状態であるが、その為にレバー１２の第１レバー部１７は第２係合溝１６に係合してスピーカ部１１が下がらないように成っている。
【００２４】
ところで、実施例に示したスピーカ装置のベース部には第１係合溝と第２係合溝の２つの係合溝が設けられ、スピーカ部の向きの傾斜角度は１段階である。しかし、スピーカ部の向きを複数段階に変更することが出来る構造とすることも可能である。
一方、図１に示すサポートシステム１は話し手３と聴覚障害者２とが一対一での会話であるが、複数の聴覚障害者２，２・・・を対象とすることもある。一人の話し手３に対して聴き手となる聴覚障害者が複数人の場合には、マイク装置５とスピーカ装置４とを切り離したワイヤレスとすることが出来る。そして、話し手３が使うマイク装置５はテーブルに設置する型式でなく、場所を移動しながら話をする場合には、携帯可能なマイク装置が使用される。
一方、スピーカ装置は聴覚障害者２に限定することなく、健常者が使う一般のスピーカ装置としての利用も出来る。
【符号の説明】
【００２５】
１   サポートシステム
２   聴覚障害者
３   話し手
４   スピーカ装置
５   マイク装置
６   ケーブル
７   台座
８   スタンド
９   マイク
10   ベース部
11   スピーカ部
12   レバー
13   軸
14   解除ボタン
15   第１係合溝
16   第２係合溝
17   第１レバー部
18   軸
19   第２レバー部
20   空間
21   フレーム
22   スピーカ
23   コイルバネ
24   コイルバネ
【図１】
2019068163.tif 000003
【図２】
2019068163.tif 000004
【図３】
2019068163.tif 000005
【図４】
2019068163.tif 000006
【図５】
2019068163.tif 000007
【図６】
2019068163.tif 000008
【図７】
2019068163.tif 000009
【図８】
2019068163.tif 000010